(57)【要約】【課題】最新の収納場所を管理することができる物品検出システムを提供すること。【解決手段】検出部５は、部屋に設けられた戸の開閉を検出して検出信号を送信する。在庫管理サーバ４は、検出信号に応じて検索要求を送信する。リーダライタ２−ｊは、収納場所に設置され、検索要求に応じて読出信号をＩＤタグ１−ｉに送信する。ＩＤタグ１−ｉは、部屋の複数の収納場所の各々に収納された物品に設けられ、読出信号に応じてタグ識別子（物品情報）を送信する。リーダライタ２−ｊは、検索結果（タグ識別子、アンテナ識別子）を送信する。在庫管理サーバ４は、タグ識別子とアンテナ識別子とを在庫物品データベースに格納する。位置情報データベースには、アンテナ識別子と、収納場所を表す位置情報とが格納されている。利用者の物品検索要求により、在庫管理サーバ４は、物品検索結果（物品情報、検索位置情報）を生成して表示装置に表示する。【選択図】図１
2008310821.tif 000002
【特許請求の範囲】
【請求項１】
部屋の複数の収納場所のそれぞれに収納された複数の物品に設けられ、それぞれ複数のタグ識別子を保持し、読出信号に応じて返答信号としてそれぞれ前記複数のタグ識別子を送信する複数のＩＤタグと、
前記複数の収納場所に設置され、検索要求に応じて、前記読出信号を前記複数のＩＤタグに送信し、前記複数のＩＤタグからの前記複数のタグ識別子と、自己を識別する複数のアンテナ識別子とをそれぞれ含む複数の検索結果を送信する複数のリーダライタと、
ネットワークを介して前記複数のリーダライタに接続された在庫管理サーバと、
前記ネットワークを介して前記在庫管理サーバに接続され、利用者に利用され、入力装置と表示装置とを備えた情報処理端末と、
前記ネットワークを介して前記在庫管理サーバに接続された検出部と、
を具備し、
前記複数のタグ識別子は、前記複数の物品をそれぞれ表す複数の物品情報を含み、
在庫管理サーバは、
在庫物品データベースと、
前記複数のアンテナ識別子と前記複数の収納場所をそれぞれ表す複数の位置情報とが格納された位置情報データベースと、
検出信号に応じて前記複数のリーダライタに前記検索要求を送信し、前記複数のリーダライタからの前記複数の検索結果を受信し、前記複数の検索結果にそれぞれ含まれる前記複数のタグ識別子と前記複数のアンテナ識別子とを前記在庫物品データベースに格納する検索部と、
利用者が前記入力装置を用いて検索物品における物品検索要求をしたとき、前記在庫物品データベースと前記位置情報データベースとを参照して、物品検索結果を生成して前記表示装置に表示する制御部と、
を備え、
前記物品検索結果は、前記複数の物品のうちの前記検索物品の物品情報と、前記複数の位置情報のうちの、前記検索物品が収納された収納場所を表す検索位置情報とを含み、
前記部屋には、利用者により開閉される戸が設けられ、
前記検出部は、
利用者が進入する前記部屋の前記戸の開閉を検出して、前記検出信号を前記在庫管理サーバに送信する戸検出部、
を備える物品検出システム。
【請求項２】
前記部屋には、前記複数の収納場所のうちの第１収納場所を表す引出収納部が設置され、
前記引出収納部には、前記複数のリーダライタのうちの第１リーダライタが設置され、
前記引出収納部は、
前記戸に対応し、前記複数の物品のうちの第１物品を収納するための引出部と、
前記引出部を収納可能な引出用収納部と、
を含み、
前記戸検出部は、
前記引出収納部の開閉を検出する引出検出部、
を備え、
前記引出検出部は、
前記引出部に設けられた引出検出支援部と、
前記引出用収納部に設けられた引出検出制御部と、
を備え、
前記引出部が前記引出用収納部に収納されているとき、前記引出検出支援部と前記引出検出制御部との距離は第１設定距離に保持され、
前記引出検出制御部は、
利用者により前記引出用収納部から前記引出部が引き出され、前記引出検出支援部と前記引出検出制御部との距離が前記第１設定距離よりも長いとき、前記引出部が開けられたことを検出し、
前記引出部が開けられたことを検出した後に、利用者により前記引出部が前記引出用収納部に収納され、前記引出検出支援部と前記引出検出制御部との距離が前記第１設定距離であるとき、前記引出部が閉じられたことを検出し、前記検出信号を前記在庫管理サーバに送信する、
請求項１に記載の物品検出システム。
【請求項３】
前記部屋には、前記複数の収納場所のうちの第２収納場所を表す扉収納部が設置され、
前記扉収納部には、前記複数のリーダライタのうちの第２リーダライタが設置され、
前記扉収納部は、
前記複数の物品のうちの第２物品を収納するための扉用収納部と、
前記扉用収納部に設けられ、前記戸に対応し、開閉可能な扉部と、
を含み、
前記戸検出部は、
前記扉部の開閉を検出する収納扉検出部、
を備え、
前記収納扉検出部は、
前記扉部に設けられた扉検出支援部と、
前記扉用収納部に設けられた扉検出制御部と、
を備え、
前記扉部が閉じられているとき、前記扉検出支援部と前記扉検出制御部との距離は第２設定距離に保持され、
前記扉検出制御部は、
利用者により前記扉部が開けられ、前記扉検出支援部と前記扉検出制御部との距離が前記第２設定距離よりも長いとき、前記扉部が開けられたことを検出し、
前記扉部が開けられたことを検出した後に、利用者により前記扉部が閉じられ、前記扉検出支援部と前記扉検出制御部との距離が前記第２設定距離であるとき、前記扉部が閉じられたことを検出し、前記検出信号を前記在庫管理サーバに送信する、
請求項１又は２に記載の物品検出システム。
【請求項４】
利用者は、第１区域である前記部屋の外から、第２区域である前記部屋に進入可能であり、
前記部屋には、
前記第１区域と前記第２区域との間に設けられ、開口部が設けられた壁と、
前記開口部に収まるように前記壁に設けられたドアと、
が設置され、
前記戸検出部は、
前記ドアの開閉を検出するドア検出部、
を備え、
前記ドア検出部は、
前記ドアに設けられたドア検出支援部と、
前記壁に設けられたドア検出制御部と、
を備え、
前記ドアが閉じられているとき、前記ドア検出支援部と前記ドア検出制御部との距離は第３設定距離に保持され、
前記ドア検出制御部は、
利用者により前記ドアが開けられ、前記ドア検出支援部と前記ドア検出制御部との距離が前記第３設定距離よりも長いとき、前記ドアが開けられたことを検出し、前記検出信号を前記在庫管理サーバに送信する、
請求項１〜３のいずれかに記載の物品検出システム。
【請求項５】
前記検索物品の物品情報は、前記検索物品の名称、数量を含む、
請求項１〜４のいずれかに記載の物品検出システム。
【請求項６】
請求項１〜５のいずれかに記載の物品検出システムに適用される在庫管理サーバ。
【請求項７】
請求項１〜５のいずれかに記載の物品検出システムに適用される検出部。
【請求項８】
請求項１〜５のいずれかに記載の物品検出システムに適用され、コンピュータである前記在庫管理サーバを用いる物品検出方法であって、
前記検出信号に応じて前記複数のリーダライタに前記検索要求を送信し、前記複数のリーダライタからの前記複数の検索結果を受信し、前記複数の検索結果にそれぞれ含まれる前記複数のタグ識別子と前記複数のアンテナ識別子とを前記在庫物品データベースに格納するステップと、
利用者が前記入力装置を用いて前記検索物品における前記物品検索要求をしたとき、前記在庫物品データベースと前記位置情報データベースとを参照して、前記物品検索結果を生成して前記表示装置に表示するステップと、
を具備する物品検出方法。
【請求項９】
請求項８に記載の物品検出方法の各ステップを前記コンピュータに実行させるコンピュータプログラム。
【発明の詳細な説明】
【技術分野】
【０００１】
本発明は、物品検出システムに関し、特に、物品として食材、調理用品を検出する物品検出システムに関する。
【背景技術】
【０００２】
従来では、家族が家で食事をする場合、その家族の主婦が調理（料理）をしていた。その主婦は、調理するために、家の台所をほぼ毎日利用している。このため、主婦は、調理するための物品（食材、調理用品）が台所のどの収納場所に収納されているのかを把握している。
一方、その家族の夫や子供は、調理を主婦に任せたままでいる場合、台所を利用しない。この場合、夫や子供は、物品（食材、調理用品）が台所のどの収納場所に収納されているのかを把握していない。このため、夫や子供は、主婦が不在のときに調理を試みようとする場合、物品（食材、調理用品）の収納場所が分からず、余計に台所を利用しなくなる。従って、夫や子供の料理離れを招いてしまう。
近年では、共働きの夫婦が増えている。このため、夫や子供が台所を利用しない場合、主婦に負担がかかってしまう。
【０００３】
ここで、従来の技術について紹介する。
【０００４】
特開２００２−８１８４８号公報（特許文献１）には、庫内に収容する食品の位置を検出できるようにする「食品管理保存庫」が記載されている。この食品管理保存庫は、複数のアンテナと、食品情報受信部と、検出手段とを備えている。複数のアンテナは、庫内に収容する食品に付された無線タグと通信できるように設けられている。食品情報受信部は、これら複数のアンテナのいずれかにより食品に付された無線タグと通信を行って食品情報を受信する。検出手段は、複数のアンテナの受信状態によって無線タグが付された食品の位置を検出する。
【０００５】
また、特開２００２−４６８２１号公報（特許文献２）には、「物品管理システム」が記載されている。この物品管理システムは、ＩＣタグと、ＩＣタグリーダと、測位手段と、位置管理サーバとを備えている。ＩＣタグは、タグＩＤを含む特定の情報を記憶するとともに、ＩＣタグリーダからの読み出し信号に応じて、特定の情報を含む応答信号をＩＣタグリーダに返す。ＩＣタグリーダは、ＩＣタグに対して読み出し信号を送信するとともに、応答信号を受信する。測位手段は、ＩＣタグリーダの位置を計測する。位置管理サーバは、応答信号の内容と自機に登録された内容が一致するときに、測位手段により得られる位置信号に基づいて、ＩＣタグが貼り付けられた管理対象物品の位置を管理する。
【０００６】
また、特開平１０−９７５３号公報（特許文献３）には、「冷凍冷蔵庫の食品在庫管理装置」が記載されている。この冷凍冷蔵庫の食品在庫管理装置は、食品画像処理手段と、入庫指示手段と、在庫期間積算手段と、在庫情報記憶手段と、食品情報表示手段と、出庫指示手段と、出庫食品選択手段と、在庫情報消去手段とを備えている。食品画像処理手段は、食品を入庫または出庫するときに使用者の撮影開始指示操作に対応して食品の画像を取り込む。入庫指示手段は、画像を取り込んだ食品の入庫を判定して指示する。在庫期間積算手段は、入庫を指示された食品の入庫時点からの経過時間を在庫期間として積算する。在庫情報記憶手段は、複数の食品について在庫の室名と食品画像と在庫期間とを食品情報として記憶する。食品情報表示手段は、食品情報を表示する。出庫指示手段は、食品の出庫を判定して指示する。出庫食品選択手段は、在庫情報記憶手段に記憶された複数の在庫食品から食品を選択する。在庫情報消去手段は、在庫情報記憶手段から在庫食品の食品情報を消去する。入庫指示手段は、食品画像処理手段が食品画像を取り込んだのち所定時間内に冷凍冷蔵庫の扉の開閉を検出したとき食品がその扉の室に入庫されたと判定し、在庫期間積算手段と在庫情報記憶手段とに入庫を指示して入庫食品の食品情報を記憶させる。出庫指示手段は、冷凍冷蔵庫の扉の開閉を検出したのち所定時間内に食品画像処理手段が食品画像を取り込み、かつ出庫食品選択手段によりその食品が食品情報の中から選択できた場合はその食品がその扉の室から出庫されたと判定し、在庫情報消去手段に指示して出庫食品の食品情報を消去させる。
【０００７】
【特許文献１】特開２００２−８１８４８号公報
【特許文献２】特開２００２−４６８２１号公報
【特許文献３】特開平１０−９７５３号公報
【発明の開示】
【発明が解決しようとする課題】
【０００８】
本発明の課題は、最新の収納場所を管理することができる物品検出システムを提供することにある。
本発明の他の課題は、利用者が物品の収納場所を把握することができる物品検出システムを提供することにある。
本発明の更に他の課題は、消費電力を低減することができる物品検出システムを提供することにある。
【課題を解決するための手段】
【０００９】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１０】
本発明の物品検出システムは、部屋（１００）の複数の収納場所の各々に収納された物品に設けられたＩＤタグ（１−ｉ）（ｉ＝１、２、…、ｍ、ｍは整数）と、収納場所に設置されたリーダライタ（２−ｊ）（ｊ＝１、２、…、ｎ、ｎは整数）と、リーダライタ（２−ｊ）とネットワークを介して接続された在庫管理サーバ（４）と、在庫管理サーバ（４）とネットワークを介して接続された情報処理端末（３）と、在庫管理サーバ（４）とネットワークを介して接続された検出部（５）とを具備している。
ＩＤタグ（１−ｉ）は、タグ識別子（１−ｉ’）を保持し、読出信号に応じて、返答信号としてタグ識別子（１−ｉ’）を送信する（Ｓ３）。
リーダライタ（２−ｊ）は、検索要求に応じて、読出信号をＩＤタグ（１−ｉ）に送信し、ＩＤタグ（１−ｉ）からのタグ識別子（１−ｉ’）と、自己を識別するアンテナ識別子（２−ｊ’）とを含む検索結果を送信する（Ｓ２、Ｓ４）。
在庫管理サーバ（４）は、制御装置（４１）と記憶部（４４）とを備えている。
情報処理端末（３）は、利用者に利用され、入力装置（３２）と表示装置（３３）とを備えている。
ここで、上記の物品は、食材又は調理用品を表している。タグ識別子（１−ｉ’）は、物品を表す物品情報を含んでいる。
記憶部（４４）は、在庫物品データベース（５０）と、位置情報データベース（６０）とを備えている。
位置情報データベース（６０）には、リーダライタ（２−ｊ）のアンテナ識別子（２−ｊ’）と、収納場所を表す位置情報（６１−ｊ）とが格納されている。
制御装置（４１）は、コンピュータプログラムを実行し、そのコンピュータプログラムである検索部（４７）と制御部（４６）とを備えている。
在庫管理サーバ（４）の検索部（４７）は、検出信号に応じてリーダライタ（２−ｊ）に検索要求を送信し、リーダライタ（２−ｊ）からの検索結果を受信し、検索結果に含まれるタグ識別子（１−ｉ’）とアンテナ識別子（２−ｊ’）とを在庫物品データベース（５０）に格納する。
利用者が入力装置（３２）を用いて検索物品｛“鍋（中）”｝における物品検索要求をする。このとき、在庫管理サーバ（４）の制御部（４６）は、在庫物品データベース（５０）と位置情報データベース（６０）とを参照して、物品検索結果を生成して表示装置（３３）に表示する。
物品検索結果は、物品のうちの検索物品｛“鍋（中）”｝の物品情報と、位置情報のうちの、検索物品｛“鍋（中）”｝が収納された収納場所を表す検索位置情報（６１−９）とを含む。
部屋（１００）には、利用者により開閉される戸が設けられている。
検出部（５）は、戸検出部を備えている。この戸検出部は、戸の開閉を検出して、検出信号を在庫管理サーバ（４）に送信する。
【００１１】
本発明の物品検出システムによれば、利用者が入力装置（３２）を用いて物品検索要求をしたとき、在庫管理サーバ（４）は、上記の物品検索結果を表示装置（３３）に表示する。このため、利用者は、物品検索結果によって、部屋（１００）のどの収納場所に検索物品｛“鍋（中）”｝が収納されているかを把握することができる。また、利用者は、物品検索結果によって、検索物品｛“鍋（中）”｝の物品情報（名称、画像、数量）を把握することができる。
在庫管理サーバ（４）が、リーダライタ（２−ｊ）に検索要求を定期的に送信して、在庫物品データベース（５０）により物品（食材、調理用品）の収納場所を管理している場合、在庫管理サーバ（４）が検索要求をリーダライタ（２−ｊ）に送信してから、次の検索要求をリーダライタ（２−ｊ）に送信するまでに、利用者が物品（食材、調理用品）を移動してしまう可能性がある。この場合、在庫物品データベース（５０）により最新の収納場所を管理することが困難である。そこで、本発明の物品検出システムによれば、利用者が戸を開閉したとき、検出部（５）の戸検出部は、戸の開閉を検出して、検出信号を在庫管理サーバ（４）に送信する。在庫管理サーバ（４）は、検出信号を受け付けたときに、検出信号をトリガとして、リーダライタ（２−ｊ）に検索要求を送信して、リーダライタ（２−ｊ）からの検索結果を受信することによって、最新の収納場所を在庫物品データベース（５０）により管理することができる。
在庫管理サーバ（４）が、リーダライタ（２−ｊ）に検索要求を定期的に送信して、リーダライタ（２−ｊ）からの検索結果を受信する場合、システム全体の消費電力が大きくなってしまう。そこで、本発明の物品検出システムによれば、利用者が戸を開閉したとき、在庫管理サーバ（４）は、リーダライタ（２−ｊ）に検索要求を送信することにより、リーダライタ（２−ｊ）に検索要求を定期的に送信する方式よりもシステム全体の消費電力を低減することができる。
【００１２】
部屋（１００）には、収納場所のうちの第１収納場所を表す引出収納部（１０１、１６０）が設置されている。
引出収納部（１０１、１６０）には、リーダライタ（２−ｊ）のうちの第１リーダライタ（２−３）が設置されている。
引出収納部（１０１、１６０）は、戸に対応し、物品のうちの第１物品を収納するための引出部（１６２）と、引出部（１６２）を収納可能な引出用収納部（１６１）とを含む。
戸検出部は、引出収納部（１６０）の開閉を検出する引出検出部（６）を備えている。
引出検出部（６）は、引出部（１６２）に設けられた引出検出支援部（６−１）と、引出用収納部（１６１）に設けられた引出検出制御部（６−２）とを備えている。
引出部（１６２）が引出用収納部（１６１）に収納されているとき、引出検出支援部（６−１）と引出検出制御部（６−２）との距離は第１設定距離（Ｌ６）に保持されている。
引出検出制御部（６−２）は、利用者により引出用収納部（１６１）から引出部（１６２）が引き出され、引出検出支援部（６−１）と引出検出制御部（６−２）との距離が第１設定距離（Ｌ６）よりも長いとき、引出部（１６２）が開けられたことを検出する。次に、引出検出制御部（６−２）は、引出部（１６２）が開けられたことを検出した後に、利用者により引出部（１６２）が引出用収納部（１６１）に収納され、引出検出支援部（６−１）と引出検出制御部（６−２）との距離が第１設定距離（Ｌ６）であるとき、引出部（１６２）が閉じられたことを検出する（Ｓ６１）。
このとき、引出検出制御部（６−２）は、検出信号として第１検出信号を在庫管理サーバ（４）に送信する（Ｓ６２）。
【００１３】
引出収納部（１６０）の開閉を検出するとき、引出検出支援部（６−１）と引出検出制御部（６−２）とを接触させる場合、引出検出部（６）｛引出検出支援部（６−１）、引出検出制御部（６−２）｝が壊れてしまう可能性がある。従って、引出検出支援部（６−１）と引出検出制御部（６−２）とを接触させないで、例えば電磁力により、引出検出部（６）｛引出検出支援部（６−１）、引出検出制御部（６−２）｝が引出収納部１６０の開閉を検出することが好ましい。
【００１４】
部屋（１００）には、収納場所のうちの第２収納場所を表す扉収納部（１０４、１７０）が設置されている。
扉収納部（１０４、１７０）には、リーダライタ（２−ｊ）のうちの第２リーダライタ（２−９）が設置されている。
扉収納部（１０４、１７０）は、物品のうちの第２物品を収納するための扉用収納部（１７２）と、扉用収納部（１７２）に設けられ、戸に対応し、開閉可能な扉部（１７１）とを含む。
戸検出部は、扉部（１７１）の開閉を検出する収納扉検出部（７）を備えている。
収納扉検出部（７）は、扉部（１７１）に設けられた扉検出支援部（７−１）と、扉用収納部（１７２）に設けられた扉検出制御部（７−２）とを備えている。
扉部（１７１）が閉じられているとき、扉検出支援部（７−１）と扉検出制御部（７−２）との距離は第２設定距離（Ｌ７）に保持されている。
扉検出制御部（７−２）は、利用者により扉部（１７１）が開けられ、扉検出支援部（７−１）と扉検出制御部（７−２）との距離が第２設定距離（Ｌ７）よりも長いとき、扉部（１７１）が開けられたことを検出する。次に、扉検出制御部（７−２）は、扉部（１７１）が開けられたことを検出した後に、利用者により扉部（１７１）が閉じられ、扉検出支援部（７−１）と扉検出制御部（７−２）との距離が第２設定距離（Ｌ７）であるとき、扉部（１７１）が閉じられたことを検出する（Ｓ７１）。
このとき、扉検出制御部（７−２）は、検出信号として第２検出信号を在庫管理サーバ（４）に送信する（Ｓ７２）。
【００１５】
扉収納部（１７０）の開閉を検出するとき、扉検出支援部（７−１）と扉検出制御部（７−２）とを接触させる場合、収納扉検出部（７）｛扉検出支援部（７−１）、扉検出制御部（７−２）｝が壊れてしまう可能性がある。従って、扉検出支援部（７−１）と扉検出制御部（７−２）とを接触させないで、電磁力により、収納扉検出部（７）｛扉検出支援部（７−１）、扉検出制御部（７−２）｝が扉収納部（１７０）の開閉を検出することが好ましい。
【００１６】
利用者は、第１区域（２００）である部屋（１００）の外から、第２区域である部屋（１００）に進入可能である。
部屋（１００）には、第１区域（２００）と第２区域（１００）との間に設けられた壁（１８０）と、ドア（１０７）とが設置され、壁（１８０）には、開口部が設けられ、ドア（１０７）は、開口部に収まるように壁（１８０）に設けられている。
戸検出部は、ドア（１０７）の開閉を検出するドア検出部（８）を備えている。
ドア検出部（８）は、ドア（１０７）に設けられたドア検出支援部（８−１）と、壁（１８０）に設けられたドア検出制御部（８−２）とを備えている。
ドア（１０７）が閉じられているとき、ドア検出支援部（８−１）とドア検出制御部（８−２）との距離は第３設定距離（Ｌ８）に保持されている。
ドア検出制御部（８−２）は、利用者によりドア（１０７）が開けられ、ドア検出支援部（８−１）とドア検出制御部（８−２）との距離が第３設定距離（Ｌ８）よりも長いとき、ドア（１０７）が開けられたことを検出する（Ｓ８１）。
このとき、ドア検出制御部（８−２）は、検出信号として第３検出信号を在庫管理サーバ（４）に送信する（Ｓ８２）。
【００１７】
ドア（１０７）の開閉を検出するとき、ドア検出支援部（８−１）とドア検出制御部（８−２）とを接触させる場合、ドア検出部（８）｛ドア検出支援部（８−１）、ドア検出制御部（８−２）｝が壊れてしまう可能性がある。従って、ドア検出支援部（８−１）とドア検出制御部（８−２）とを接触させないで、電磁力により、ドア検出部（８）｛ドア検出支援部（８−１）、ドア検出制御部（８−２）｝がドア（１０７）の開閉を検出することが好ましい。また、利用者は、部屋（１００）に行くとき、ドア（１０７）を開閉して部屋（１００）に入るため、上記のドア検出部（８）がドア（１０７）の開閉を検出することが好ましい。
【００１８】
本発明の物品検出システムは、部屋（１００）の複数の収納場所の各々に収納された物品に設けられたＩＤタグ（１−ｉ）（ｉ＝１、２、…、ｍ、ｍは整数）と、収納場所に設置されたリーダライタ（２−ｊ）（ｊ＝１、２、…、ｎ、ｎは整数）と、リーダライタ（２−ｊ）とネットワークを介して接続された在庫管理サーバ（４）と、在庫管理サーバ（４）とネットワークを介して接続された情報処理端末（３）と、在庫管理サーバ（４）とネットワークを介して接続された検出部（５）とを具備している。
ＩＤタグ（１−ｉ）は、タグ識別子（１−ｉ’）を保持し、読出信号に応じて、返答信号としてタグ識別子（１−ｉ’）を送信する（Ｓ３）。
リーダライタ（２−ｊ）は、検索要求に応じて、読出信号をＩＤタグ（１−ｉ）に送信し、ＩＤタグ（１−ｉ）からのタグ識別子（１−ｉ’）と、自己を識別するアンテナ識別子（２−ｊ’）とを含む検索結果を送信する（Ｓ２、Ｓ４）。
在庫管理サーバ（４）は、制御装置（４１）と記憶部（４４）とを備えている。
情報処理端末（３）は、利用者に利用され、入力装置（３２）と表示装置（３３）とを備えている。
ここで、上記の物品は、食材又は調理用品を表している。タグ識別子（１−ｉ’）は、物品を表す物品情報を含んでいる。
記憶部（４４）は、在庫物品データベース（５０）と、位置情報データベース（６０）とを備えている。
位置情報データベース（６０）には、リーダライタ（２−ｊ）のアンテナ識別子（２−ｊ’）と、収納場所を表す位置情報（６１−ｊ）とが格納されている。
制御装置（４１）は、コンピュータプログラムを実行し、そのコンピュータプログラムである検索部（４７）と制御部（４６）とを備えている。
在庫管理サーバ（４）の検索部（４７）は、検出信号に応じてリーダライタ（２−ｊ）に検索要求を送信し、リーダライタ（２−ｊ）からの検索結果を受信し、検索結果に含まれるタグ識別子（１−ｉ’）とアンテナ識別子（２−ｊ’）とを在庫物品データベース（５０）に格納する。
利用者が入力装置（３２）を用いて検索物品｛“鍋（中）”｝における物品検索要求をする。このとき、在庫管理サーバ（４）の制御部（４６）は、在庫物品データベース（５０）と位置情報データベース（６０）とを参照して、物品検索結果を生成して表示装置（３３）に表示する。
物品検索結果は、物品のうちの検索物品｛“鍋（中）”｝の物品情報と、位置情報のうちの、検索物品｛“鍋（中）”｝が収納された収納場所を表す検索位置情報（６１−９）とを含む。
利用者は、第１区域（２００）である部屋（１００）の外から、第２区域である部屋（１００）に進入可能である。
検出部（５）は、進入検出部を備えている。この進入検出部は、第１区域（２００）から第２区域（１００）に進入する利用者を検出して、検出信号を在庫管理サーバ（４）に送信する。
【００１９】
本発明の物品検出システムによれば、利用者が第１区域（２００）から第２区域（１００）に進入したとき、検出部（５）の進入検出部は、第１区域（２００）から第２区域（１００）に進入する利用者を検出して、検出信号を在庫管理サーバ（４）に送信する。在庫管理サーバ（４）は、検出信号を受け付けたときに、検出信号をトリガとして、リーダライタ（２−ｊ）に検索要求を送信して、リーダライタ（２−ｊ）からの検索結果を受信することによって、最新の収納場所を在庫物品データベース（５０）により管理することができる。
本発明の物品検出システムによれば、利用者が第１区域（２００）から第２区域（１００）に進入したとき、在庫管理サーバ（４）は、リーダライタ（２−ｊ）に検索要求を送信することにより、リーダライタ（２−ｊ）に検索要求を定期的に送信する方式よりもシステム全体の消費電力を低減することができる。
また、部屋（１００）にはドア（１０７）が設置されていない場合も考えられる。この場合でも、利用者は、部屋（１００）に行くとき、第１区域（２００）から第２区域（１００）に進入するため、第１区域（２００）から第２区域（１００）に進入する利用者を上記の進入検出部（９、１０）が検出することが好ましい。
【００２０】
進入検出部は、第１区域（２００）と第２区域（１００）との間の第３区域（３００）に設けられた赤外線検出部（９）を備えている。
利用者が第１区域（２００）から第３区域（３００）を通って第２区域（１００）に進入するとき、赤外線検出部（９）は、赤外線を用いて第３区域（３００）に存在する利用者を検出する（Ｓ９１）。
このとき、赤外線検出部（９）は、検出信号として第４検出信号を在庫管理サーバ（４）に送信する（Ｓ９２）。
【００２１】
第１区域（２００）から第２区域（１００）に進入する利用者を検出する場合、上記の赤外線検出部（９）が赤外線を用いて検出することが好ましい。
【００２２】
進入検出部は、第１区域（２００）と第２区域（１００）との間の第３区域（３００）に設けられた重量検出部（１０）を備えている。
利用者が第１区域（２００）から第３区域（３００）を通って第２区域（１００）に進入するとき、重量検出部（１０）は、第３区域（３００）に存在する利用者の重量を検出する（Ｓ１０１）。
このとき、重量検出部（１０）は、検出信号として第５検出信号を在庫管理サーバ（４）に送信する（Ｓ１０２）。
【００２３】
第１区域（２００）から第２区域（１００）に進入する利用者を検出する場合、上記の重量検出部（１０）が利用者の重量を検出することが好ましい。
【発明の効果】
【００２４】
本発明の物品検出システムは、最新の収納場所を管理することができる。
本発明の物品検出システムは、利用者が物品（食材、調理用品）の収納場所を把握することができる。
本発明の物品検出システムは、消費電力を低減することができる。
【発明を実施するための最良の形態】
【００２５】
以下に添付図面を参照して、本発明の物品検出システムについて詳細に説明する。
【００２６】
（第１実施形態）
図１は、本発明の第１実施形態に係る物品検出システムの構成を示すブロック図である。本発明の第１実施形態に係る物品検出システムは、ＩＤタグ１−１〜１−ｍ（ｍは１以上の整数）と、リーダライタ２−１〜２−ｎ（ｎは１以上の整数）と、情報処理端末３と、在庫管理サーバ４と、検出部５とを具備している。
在庫管理サーバ４は、ネットワークを介してリーダライタ２−１〜２−ｎ、情報処理端末３、検出部５に接続されている。在庫管理サーバ４とリーダライタ２−１〜２−ｎとを接続するネットワークは、在庫管理サーバ４と検出部５とを接続するネットワークと同じでもよいし、異なっていてもよい。在庫管理サーバ４とリーダライタ２−１〜２−ｎとを接続するネットワークは、在庫管理サーバ４と情報処理端末３とを接続するネットワークと同じでもよいし、異なっていてもよい。
情報処理端末３は、台所の利用者に利用される。情報処理端末３は、ＰＣ（Ｐｅｒｓｏｎａｌ  Ｃｏｍｐｕｔｅｒ）、又は、携帯端末である。携帯端末としてはＰＤＡ（Ｐｅｒｓｏｎａｌ  Ｄｉｇｉｔａｌ  Ａｓｓｉｓｔａｎｔ）、携帯電話機が例示される。例えば、情報処理端末３が携帯端末として携帯電話機である場合、在庫管理サーバ４と情報処理端末３とは、無線ネットワークにより接続される。
検出部５は、戸検出部である引出検出部６、収納扉検出部７、ドア検出部８の少なくとも１つを具備している。戸検出部は、利用者により開閉される戸の開閉を検出して、検出信号を在庫管理サーバ４に送信する。戸は、台所に設けられている。戸と、引出検出部６、収納扉検出部７、ドア検出部８とについては後述する。
【００２７】
ＩＤタグ１−ｉ（ｉ＝１、２、…、ｍ）は、物品に設けられている。物品は、食材又は調理用品を表している。ＩＤタグ１−ｉが設けられた物品（食材、調理用品）は、台所の複数の収納場所の各々に収納される。
食材としては、肉類、魚類、野菜類、調味料（塩、砂糖、味醂）、加工食品（カレールー、バター、…）が例示される。食材は、容器（又はビニール）により包装されている。この場合、ＩＤタグ１−ｉは、容器に設けられている。
調理用品としては、鍋、フライパン、釜（圧力釜）、食器（皿、スプーン、フォーク、…）が例示される。この場合、ＩＤタグ１−ｉは、調理用品に設けられている。
【００２８】
リーダライタ２−ｊ（ｊ＝１、２、…、ｎ）は、利用者が物品（食材、調理用品）を用いて調理するために使われ、台所の各収納場所に設置される。リーダライタ２−ｊは、読出信号として電波を送信する。読出信号は、所定範囲に送信される。所定範囲にＩＤタグ１−ｉが存在する場合、リーダライタ２−ｊは、ＩＤタグ１−ｉと通信可能であり、ＩＤタグ１−ｉからの返答信号として電波を受信する。
【００２９】
図２は、本発明の第１実施形態に係る物品検出システムの適用例として、台所１００の間取りを示す概念図である。台所１００には、上記の収納場所として、食器棚１０１、保管棚１０２、冷蔵庫１０３、流し台１０４、コンロ１０５、テーブル１０６が設置されている。利用者は、物品をコンロ１０５、テーブル１０６に収納できないが、物品をコンロ１０５、テーブル１０６に置きっぱなしにする場合があるため、コンロ１０５、テーブル１０６も収納場所とする。また、台所１００には、ドア１０７が設置されている。利用者は、第１区域（廊下、居間）である台所１００の外から、ドア１０７を開閉して、第２区域である台所１００に進入可能である。第１区域を廊下２００とする。
例えば、リーダライタ２−１、２−２、２−３、在庫管理サーバ４は、物品の収納スペースの妨げにならないように、食器棚１０１の中に設置されている。リーダライタ２−４は、物品の収納スペースの妨げにならないように、保管棚１０２の中に設置されている。リーダライタ２−５、２−６、２−７は、物品の収納スペースの妨げにならないように、冷蔵庫１０３の中に設置されている。リーダライタ２−８、２−９は、物品の収納スペースの妨げにならないように、流し台１０４の中に設置されている。情報処理端末３は、調理の妨げにならないように、流し台１０４の上に設置されている。リーダライタ２−１０は、調理の妨げにならないように、コンロ１０５の近傍に設置されている。リーダライタ２−１１は、食事の妨げにならないように、テーブル１０６の上に設置されている。
【００３０】
図３は、本発明の第１実施形態に係る物品検出システムの適用例として、引出又は扉を外したときの食器棚１０１の正面図を示す。食器棚１０１は、収納場所として、例えば第１段目から第３段目までの収納部を具備している。
食器棚１０１の第１収納部（１段目）には、在庫管理サーバ４が設置されている。食器棚１０１の第１収納部（１段目）の上面部には、リーダライタ２−１が設置されている。食器棚１０１の第２収納部（２段目）の上面部には、リーダライタ２−２が設置されている。食器棚１０１の第３収納部（３段目）の上面部には、リーダライタ２−３が設置されている。
【００３１】
図４は、本発明の第１実施形態に係る物品検出システムの適用例として、引出又は扉を外したときの冷蔵庫１０３の正面図を示す。冷蔵庫１０３は、収納場所として、例えば第１段目から第３段目までの収納部を具備している。
冷蔵庫１０３の第１収納部（１段目）は、野菜室である。冷蔵庫１０３の野菜室の上面部には、リーダライタ２−５が設置されている。冷蔵庫１０３の第２収納部（２段目）は、冷凍室である。冷蔵庫１０３の冷凍室の上面部には、リーダライタ２−６が設置されている。冷蔵庫１０３の第３収納部（３段目）は、冷蔵室である。冷蔵庫１０３の冷蔵室の上面部には、リーダライタ２−７が設置されている。
【００３２】
図５は、本発明の第１実施形態に係る物品検出システムの適用例として、引出又は扉を外したときの流し台１０４の正面図を示す。流し台１０４は、収納場所として、例えば、左側の収納部と、右側の収納部とを具備している。
流し台１０４の左側の収納部の上面部には、リーダライタ２−８が設置されている。流し台１０４の右側の収納部の上面部には、リーダライタ２−９が設置されている。
【００３３】
図６Ａ、図６Ｂは、本発明の第１実施形態に係る物品検出システムの適用例として、検出部５である引出検出部６が設置される収納場所を示す。
台所１００には、収納場所のうちの第１収納場所を表す引出収納部１６０が設置されている。例えば、食器棚１０１の第３収納部（３段目）が引出収納部１６０であるものとする。引出収納部１６０は、物品のうちの第１物品を収納するための引出部１６２と、引出部１６２を収納可能な引出用収納部１６１とを含んでいる。引出部１６２は、上記の戸に対応する。
引出部１６２は、下面部１６２−１と収納用上部１６２−２と側面部とを有し、貫通しない穴が収納用上部１６２−２に設けられた箱型である。第１物品は、収納用上部１６２−２から収納される。
引出用収納部１６１は、食器棚１０１の貫通しない穴に設けられ、底面部１６１−１と上面部１６１−２と側面部とを有する。下面部１６２−１と収納用上部１６２−２との間の引出部１６２の側面部には、底面部１６１−１に平行な方向に延びる引出用突起部１６４が設けられている。底面部１６１−１と上面部１６１−２との間の引出用収納部１６１の側面部には、底面部１６１−１に平行な方向に延び、引出用突起部１６４を指示する引出用支持部１６３が設けられている。引出用支持部１６３は、引出部１６２が引出用収納部１６１からスライドして引き出せるように、引出用収納部１６１の側面部に設けられている。
引出用収納部１６１の上面部１６１−２には、リーダライタ２−３が設けられている。引出用支持部１６３は、収納用上部１６２−２とリーダライタ２−３とが接触しないように、引出用収納部１６１の側面部に設けられている。
【００３４】
検出部５である引出検出部６は、引出収納部１６０の開閉を検出する。引出検出部６は、引出検出支援部６−１と、引出検出制御部６−２とを備えている。
引出検出支援部６−１は、引出部１６２の下面部１６２−１に設けられ、引出検出制御部６−２は、引出用収納部１６１の底面部１６１−１に設けられている。引出検出支援部６−１と引出検出制御部６−２とは、引出部１６２が引出用収納部１６１に収納されているとき、引出検出支援部６−１と引出検出制御部６−２との距離が第１設定距離Ｌ６に保持されるように設けられている。第１設定距離Ｌ６に保持されているときに引出検出支援部６−１と引出検出制御部６−２との間には電磁力が働く。このため、上記の引出用支持部１６３は、底面部１６１−１と下面部１６２−１との距離と、引出部１６２の厚みと引出用収納部１６１の厚みと第１設定距離Ｌ６との合計とが同じになるように、引出用収納部１６１の側面部に設けられている。
【００３５】
引出検出支援部６−１は、引出部１６２の下面部１６２−１の前面側に設けられ、引出検出制御部６−２は、引出用収納部１６１の底面部１６１−１の前面側に設けられていることが好ましい。前面側とは、食器棚１０１の引出収納部１６０を利用者が利用するときの面と、底面部１６１−１とが直交する点Ｐ１６１付近を表している。
例えば、引出検出支援部６−１は、引出部１６２の下面部１６２−１の後方側に設けられ、引出検出制御部６−２は、引出用収納部１６１の底面部１６１−１の後方側に設けられているものとする。後方側とは、底面部１６１−１の点Ｐ１６１から所定長さだけ離れた点Ｐ１６２付近を表している。所定長さは、底面部１６１−１の長さを表している。引出部１６２の長さが上記の所定長さよりも短い場合、引出検出支援部６−１と引出検出制御部６−２との間には電磁力が働かない。このように、引出検出支援部６−１は、引出部１６２の下面部１６２−１の前面側に設けられ、引出検出制御部６−２は、引出用収納部１６１の底面部１６１−１の前面側に設けられていることが好ましい。
【００３６】
引出検出制御部６−２は、利用者により引出用収納部１６１から引出部１６２が引き出され、引出検出支援部６−１と引出検出制御部６−２との距離が第１設定距離Ｌ６よりも長いとき（例えば距離Ｌ１０６、Ｌ１０６＞Ｌ６）、電磁力が働かないため、引出部１６２（上記の戸に対応）が開けられたことを検出（認識）する。
引出部１６２（戸）が開けられたことを検出（認識）した後に、利用者により引出部１６２が引出用収納部１６１に収納され、引出検出支援部６−１と引出検出制御部６−２との距離が第１設定距離Ｌ６であるとき、引出部１６２（戸）が閉じられたことを検出し、検出信号として第１検出信号を在庫管理サーバ４に送信する。
引出収納部１６０の開閉を検出するとき、引出検出支援部６−１と引出検出制御部６−２とを接触させる場合、引出検出部６（引出検出支援部６−１、引出検出制御部６−２）が壊れてしまう可能性がある。従って、引出検出支援部６−１と引出検出制御部６−２とを接触させないで、電磁力により、引出検出部６（引出検出支援部６−１、引出検出制御部６−２）が引出収納部１６０の開閉を検出することが好ましい。
【００３７】
図７Ａ、図７Ｂは、本発明の第１実施形態に係る物品検出システムの適用例として、検出部５である収納扉検出部７が設置される収納場所を示す。
台所１００には、収納場所のうちの第２収納場所を表す扉収納部１７０が設置されている。例えば、流し台１０４の右側の収納部が扉収納部１７０であるものとする。扉収納部１７０は、物品のうちの第２物品を収納するための扉用収納部１７２と、扉用収納部１７２に設けられた扉部１７１とを含んでいる。扉部１７１は、上記の戸に対応し、開閉可能である。
扉部１７１は、表面部１７１−１と背面部１７１−２とを有し、扉部１７１の辺のうちの１辺が軸（図示省略）を介して扉用収納部１７２に設けられている。第２物品は、扉部１７１を開けて扉用収納部１７２に収納される。
扉用収納部１７２は、流し台１０４の貫通しない穴に設けられ、底面部と上面部と側面部とを有する。扉用収納部１７２の上面部には、リーダライタ２−９が設けられている。また、扉用収納部１７２は、流し台１０４の扉収納部１７０を利用者が利用するときの面である表面部１７２−１を有する。
【００３８】
検出部５である収納扉検出部７は、扉収納部１７０の開閉を検出する。収納扉検出部７は、扉検出支援部７−１と、扉検出制御部７−２とを備えている。
扉検出支援部７−１は、扉部１７１の表面部１７１−１に設けられ、扉検出制御部７−２は、扉用収納部１７２に設けられている。扉検出支援部７−１と扉検出制御部７−２とは、扉部１７１が閉じられているとき、扉検出支援部７−１と扉検出制御部７−２との距離が第２設定距離Ｌ７に保持されるように設けられる。第２設定距離Ｌ７に保持されているときに扉検出支援部７−１と扉検出制御部７−２との間には電磁力が働く。
【００３９】
扉検出制御部７−２は、利用者により扉部１７１が開けられ、扉検出支援部７−１と扉検出制御部７−２との距離が第２設定距離Ｌ７よりも長いとき（例えば距離Ｌ１０７、Ｌ１０７＞Ｌ７）、電磁力が働かないため、扉部１７１（上記の戸に対応）が開けられたことを検出（認識）する。
扉部１７１（戸）が開けられたことを検出（認識）した後に、利用者により扉部１７１（戸）が閉じられ、扉検出支援部７−１と扉検出制御部７−２との距離が第２設定距離Ｌ７であるとき、扉部１７１（戸）が閉じられたことを検出し、検出信号として第２検出信号を在庫管理サーバ４に送信する。
扉収納部１７０の開閉を検出するとき、扉検出支援部７−１と扉検出制御部７−２とを接触させる場合、収納扉検出部７（扉検出支援部７−１、扉検出制御部７−２）が壊れてしまう可能性がある。従って、扉検出支援部７−１と扉検出制御部７−２とを接触させないで、電磁力により、収納扉検出部７（扉検出支援部７−１、扉検出制御部７−２）が扉収納部１７０の開閉を検出することが好ましい。
【００４０】
図８Ａ、図８Ｂは、本発明の第１実施形態に係る物品検出システムの適用例として、検出部５であるドア検出部８が設置される場所を示す。
台所１００には、第１区域（廊下２００）と第２区域（台所１００）との間に設けられた壁１８０と、上記のドア１０７とが設置されている。壁１８０には、開口部が設けられている。ドア１０７は、開口部に収まるように壁１８０に設けられている。ドア１０７は、上記の戸に対応し、開閉可能である。
ドア１０７は、表面部１０７−１と背面部１０７−２とを有し、ドア１０７の辺のうちの１辺が軸（図示省略）を介して壁１８０に設けられている。
壁１８０は、台所１００側の面である表面部１８０−１と、廊下２００側の面である背面部１８０−２とを有する。
【００４１】
検出部５であるドア検出部８は、ドア１０７の開閉を検出する。ドア検出部８は、ドア検出支援部８−１と、ドア検出制御部８−２とを備えている。
ドア検出支援部８−１は、ドア１０７の表面部１０７−１に設けられ、ドア検出制御部８−２は、壁１８０の表面部１８０−１に設けられている。ドア検出支援部８−１とドア検出制御部８−２とは、ドア１０７が閉じられているとき、ドア検出支援部８−１とドア検出制御部８−２との距離が第３設定距離Ｌ８に保持されるように設けられる。第３設定距離Ｌ８に保持されているときにドア検出支援部８−１とドア検出制御部８−２との間には電磁力が働く。
ドア検出制御部８−２は、利用者によりドア１０７が開けられ、ドア検出支援部８−１とドア検出制御部８−２との距離が第３設定距離Ｌ８よりも長いとき（例えば距離Ｌ１０８、Ｌ１０８＞Ｌ８）、電磁力が働かないため、ドア１０７（上記の戸に対応）が開けられたことを検出（認識）する。このとき、ドア検出制御部８−２は、検出信号として第３検出信号を在庫管理サーバ４に送信する。
ドア１０７の開閉を検出するとき、ドア検出支援部８−１とドア検出制御部８−２とを接触させる場合、ドア検出部８（ドア検出支援部８−１、ドア検出制御部８−２）が壊れてしまう可能性がある。従って、ドア検出支援部８−１とドア検出制御部８−２とを接触させないで、電磁力により、ドア検出部８（ドア検出支援部８−１、ドア検出制御部８−２）がドア１０７の開閉を検出することが好ましい。また、利用者は、台所１００に行くとき、ドア１０７を開閉して台所１００に入るため、上記のドア検出部８がドア１０７の開閉を検出することが好ましい。
【００４２】
図９は、本発明の第１実施形態に係る物品検出システムのＩＤタグ１−ｉの構成を示すブロック図である。ＩＤタグ１−ｉは、アンテナ１１、ＩＣチップ１２を具備している。ＩＣチップ１２は、送信部１３、受信部１４、記憶部１５、整流部１６を具備している。記憶部１５には、タグ識別子１−ｉ’が格納されている。
ＩＤタグ１−ｉのアンテナ１１は、リーダライタ２−ｊからの読出信号として電波を受信する。ＩＤタグ１−ｉの受信部１４は、そのアンテナ１１が電波を受信したことを検知する。このとき、ＩＤタグ１−ｉの整流部１６は、共振作用により起電力を発生する（例示；電磁誘導）。ＩＤタグ１−ｉの送信部１３は、起電力により、その記憶部１５からタグ識別子１−ｉ’を読み出して、返答信号としてタグ識別子１−ｉ’を送信する。
【００４３】
図１０は、本発明の第１実施形態に係る物品検出システムにおけるタグ識別子１−ｉ’を示す。タグ識別子１−ｉ’は、ＩＤタグ１−ｉを識別するためのＩＤと、ＩＤタグ１−ｉに設けられた物品を表す物品情報とを含む。
その物品が調理用品である場合、調理用品の物品情報は、調理用品の名称と、調理用品が撮影された画像とを含む。ＩＤと調理用品の物品情報（調理用品の名称、調理用品の画像）とは、調理用品を製造する製造元の作業員、調理用品を販売する店頭の作業員によって、ＩＤタグ１−ｉの記憶部１５にタグ識別子１−ｉ’として予めに格納される。
その物品が食材である場合、食材の物品情報は、食材の名称と、食材が撮影された画像と、利用者により消費されることを表す消耗品情報とを含む。消耗品情報は、食材の数量を含む。食材の数量は、例えば、５個の“ジャガイモ”が容器に包装され、その容器にＩＤタグ１−ｉが設けられている場合、“５”を表す。ＩＤと食材の物品情報（食材の名称、食材の画像、消耗品情報）とは、食材を製造・加工する製造元、食材を販売する店頭の作業員によって、ＩＤタグ１−ｉの記憶部１５にタグ識別子１−ｉ’として予めに格納される。
また、物品（食材、調理用品）の物品情報は、物品（食材、調理用品）を特定する流通情報｛ＪＡＮ（Ｊａｐａｎｅｓｅ  Ａｒｔｉｃｌｅ  Ｎｕｍｂｅｒ）コード｝を更に含んでいる場合もある。
【００４４】
図１１は、本発明の第１実施形態に係る物品検出システムのリーダライタ２−ｊの構成を示すブロック図である。リーダライタ２−ｊは、アンテナ２１と、コンピュータであるコントローラー２２とを具備している。コントローラー２２は、送信部２３、受信部２４、記憶部２５、制御部２６を具備している。記憶部２５には、リーダライタ２−ｊを識別するためのアンテナ識別子２−ｊ’が格納されている。アンテナ識別子２−ｊ’は、リーダライタ２−ｊを製造する製造元の作業員、リーダライタ２−ｊを販売する店頭の作業員によって、記憶部２５に予めに格納される。
リーダライタ２−ｊには、例えば、自動モード、又は、ユーザ設定モードが設定される。
自動モードが設定された場合、リーダライタ２−ｊの制御部２６は、在庫管理サーバ４から検索要求を受信したとき、その送信部２３、受信部２４、記憶部２５を制御する。この場合、リーダライタ２−ｊの送信部２３は、検索要求に応じて、電波によって読出信号をＩＤタグ１−ｉに送信する。リーダライタ２−ｊの受信部２４は、ＩＤタグ１−ｉからの返答信号であるタグ識別子１−ｉ’を受信する。リーダライタ２−ｊの制御部２６は、その記憶部２５からアンテナ識別子２−ｊ’を読み出して、タグ識別子１−ｉ’とアンテナ識別子２−ｊ’とを含む検索結果を在庫管理サーバ４に送信する。
ユーザ設定モードが設定された場合、利用者がリーダライタ２−ｊを操作することにより、リーダライタ２−ｊの制御部２６は、その送信部２３、受信部２４、記憶部２５を制御する。この場合、リーダライタ２−ｊと外部装置とを接続することにより、ＩＤタグ１−ｉの記憶部２５に新たな情報を格納することができる。例えば、ＩＤタグ１−ｉの記憶部１５に物品（食材、調理用品）の画像が格納されていない場合、新たな情報は、物品（食材、調理用品）の画像であり、外部装置は、カメラ又は情報処理端末３である。リーダライタ２−ｊの制御部２６は、利用者の操作により、外部装置からの画像を取り込む。このとき、リーダライタ２−ｊの制御部２６は、取り込んだ画像がＩＤタグ１−ｉの記憶部１５に格納されるように、その送信部２３を制御する。
【００４５】
図１２は、本発明の第１実施形態に係る物品検出システムの情報処理端末３の構成を示すブロック図である。情報処理端末３は、制御装置３１と、入力装置３２と、表示装置３３と、通信装置３４とを具備している。
入力装置３２は、キーボタン（テンキー、リターンキー、…）を含むキーボードと、ポインティングデバイスとを含む。
表示装置３３としてはＬＣＤ（Ｌｉｑｕｉｄ  Ｃｒｙｓｔａｌ  Ｄｉｓｐｌａｙ）、ＥＬ（Ｅｌｅｃｔｒｏｌｕｍｉｎｅｓｃｅｎｃｅ）ディスプレイ、プラズマディスプレイが例示される。
通信装置３４は、ネットワークを介して在庫管理サーバ４に接続されている。
制御装置３１は、入力装置３２、表示装置３３、通信装置３４に接続されている。制御装置３１は、実行部であるＣＰＵ（Ｃｅｎｔｒａｌ  Ｐｒｏｃｅｓｓｉｎｇ  Ｕｎｉｔ）３５と、記憶部３６とを具備している。記憶部３６には、ＣＰＵ３５が実行するためのコンピュータプログラム３７が格納されている。コンピュータプログラム３７は、制御部（制御プログラム）３８を含んでいる。制御部３８の動作については後述する。
また、情報処理端末３は、利用者の入力装置３２による入力・操作を補助するための出力装置（図示しない）を具備している場合もある。出力装置としては、スピーカが例示される。この場合、出力装置は制御装置３１に接続され、制御装置３１の制御部３８は、後述の画面を表示装置３３に表示したときに、画面が表示されたことを利用者に通知するための音又は音声を出力装置により出力する。
【００４６】
図１３は、本発明の第１実施形態に係る物品検出システムの在庫管理サーバ４の構成を示すブロック図である。在庫管理サーバ４は、制御装置４１と、通信装置４２とを具備している。
通信装置４２は、ネットワークを介してリーダライタ２−１〜２−ｎと、情報処理端末３の通信装置３４と、引出検出部６の引出検出制御部６−２、収納扉検出部７の扉検出制御部７−２と、ドア検出部８のドア検出制御部８−２とに接続されている。
制御装置４１は、通信装置４２に接続されている。制御装置４１は、実行部であるＣＰＵ４３と、記憶部４４とを具備している。記憶部４４には、ＣＰＵ４３が実行するためのコンピュータプログラム４５、データベース４８が格納されている。コンピュータプログラム４５は、制御部（制御プログラム）４６、検索部（検索プログラム）４７を含んでいる。データベース４８は、在庫物品データベース５０、位置情報データベース６０を含んでいる。制御部４６、検索部４７の動作については後述する。
【００４７】
図１４は、本発明の第１実施形態に係る物品検出システムの在庫管理サーバ４の在庫物品データベース５０を示す。在庫物品データベース５０には、タグ識別子１−１’〜１−ｍ’と、アンテナ識別子とが検索部４７によって格納される。
【００４８】
図１５は、本発明の第１実施形態に係る物品検出システムの在庫管理サーバ４の位置情報データベース６０を示す。位置情報データベース６０には、アンテナ識別子２−１’〜２−ｎ’と、収納場所を表す位置情報６１−１〜６１−ｎと、収納場所が描写された地図データ６２とが対応付けられて格納されている。
例えば、位置情報６１−１は、リーダライタ２−１が設置された食器棚１０１の第１収納部（１段目）を表す。位置情報６１−２は、リーダライタ２−２が設置された食器棚１０１の第２収納部（２段目）を表す。位置情報６１−３は、リーダライタ２−３が設置された食器棚１０１の第３収納部（３段目）を表す。位置情報６１−４は、リーダライタ２−４が設置された保管棚１０２を表す。位置情報６１−５は、リーダライタ２−５が設置された冷蔵庫１０３の野菜室を表す。位置情報６１−６は、リーダライタ２−６が設置された冷蔵庫１０３の冷凍室を表す。位置情報６１−７は、リーダライタ２−７が設置された冷蔵庫１０３の冷蔵室を表す。位置情報６１−８は、リーダライタ２−８が設置された流し台１０４の左側の収納部を表す。位置情報６１−９は、リーダライタ２−９が設置された流し台１０４の右側の収納部を表す。位置情報６１−１０は、リーダライタ２−１０が設置されたコンロ１０５を表す。位置情報６１−１１は、リーダライタ２−１１が設置されたテーブル１０６を表す。
【００４９】
次に、本発明の第１実施形態に係る物品検出システムの動作について説明する。本発明の第１実施形態に係る物品検出システムは、その動作として、戸検出処理、検索制御処理、検索要求処理を実行する。ここで、リーダライタ２−ｊには自動モードが設定されている。
【００５０】
図１６は、本発明の第１実施形態に係る物品検出システムの動作として、引出検出部６が実行する戸検出処理を示すフローチャートである。
利用者は、台所１００で調理する前に、引出収納部１６０の引出部１６２を引出用収納部１６１から引き出す。このとき、引出検出部６の引出検出支援部６−１と引出検出制御部６−２との距離が第１設定距離Ｌ６よりも長くなり、引出検出支援部６−１と引出検出制御部６−２との間には電磁力が働かない。このため、引出検出制御部６−２は、引出部１６２（戸）が開けられたことを検出（認識）する。その後、利用者は、引出部１６２を引出用収納部１６１に収納する。このとき、引出検出支援部６−１と引出検出制御部６−２との距離が第１設定距離Ｌ６に保持され、引出検出支援部６−１と引出検出制御部６−２との間には電磁力が働く。このため、引出検出制御部６−２は、引出部１６２（戸）が閉じられたことを検出する（ステップＳ６１−ＹＥＳ）。
引出検出制御部６−２は、ステップＳ６１にて引出収納部１６０の開閉を検出したとき、検出信号（第１検出信号）を在庫管理サーバ４に送信する（ステップＳ６２）。
【００５１】
図１７は、本発明の第１実施形態に係る物品検出システムの動作として、収納扉検出部７が実行する戸検出処理を示すフローチャートである。
利用者は、台所１００で調理する前に、扉収納部１７０の扉部１７１が開ける。このとき、収納扉検出部７の扉検出支援部７−１と扉検出制御部７−２との距離が第２設定距離Ｌ７よりも長くなり、扉検出支援部７−１と扉検出制御部７−２との間には電磁力が働かない。このため、扉検出制御部７−２は、扉部１７１（戸）が開けられたことを検出（認識）する。その後、利用者は、扉部１７１（戸）を閉じる。このとき、扉検出支援部７−１と扉検出制御部７−２との距離が第２設定距離Ｌ７に保持され、扉検出支援部７−１と扉検出制御部７−２との間には電磁力が働く。このため、扉検出制御部７−２は、扉部１７１（戸）が閉じられたことを検出する（ステップＳ７１−ＹＥＳ）。
扉検出制御部７−２は、ステップＳ７１にて扉収納部１７０の開閉を検出したとき、検出信号（第２検出信号）を在庫管理サーバ４に送信する（ステップＳ７２）。
【００５２】
図１８は、本発明の第１実施形態に係る物品検出システムの動作として、ドア検出部８が実行する戸検出処理を示すフローチャートである。
利用者は、台所１００に行くために、ドア１０７を開ける。このとき、ドア検出部８のドア検出支援部８−１とドア検出制御部８−２との距離が第３設定距離Ｌ８よりも長くなり、ドア検出支援部８−１とドア検出制御部８−２との間には電磁力が働かない。このため、ドア検出制御部８−２は、ドア１０７（戸）が開けられたことを検出（認識）する（ステップＳ８１−ＹＥＳ）。
ドア検出制御部８−２は、ステップＳ８１にてドア１０７の開閉（閉じられていたドア１０７が開けられたこと）を検出したとき、検出信号（第３検出信号）を在庫管理サーバ４に送信する（ステップＳ８２）。
【００５３】
図１９は、本発明の第１実施形態に係る物品検出システムの動作として検索制御処理を示すフローチャートである。
まず、在庫管理サーバ４の通信装置４２は、第１検出信号、第２検出信号、第３検出信号のいずれかの検出信号を受信する。このとき、在庫管理サーバ４の検索部４７は、検出信号に応じて、その通信装置４２を介して、検索要求を送信する（ステップＳ１）。
リーダライタ２−ｊは、在庫管理サーバ４からの検索要求に応じて、電波によって読出信号を送信する（ステップＳ２）。
読出信号を受信可能な所定範囲にＩＤタグ１−ｉが存在する場合、ＩＤタグ１−ｉは、読出信号（電波）に応じて、その記憶部１５からタグ識別子１−ｉ’を読み出して、電波によって返答信号（タグ識別子１−ｉ’）を送信する（ステップＳ３）。
リーダライタ２−ｊは、ＩＤタグ１−ｉからの返答信号（タグ識別子１−ｉ’）に応じて、その記憶部２５からアンテナ識別子２−ｊ’を読み出して、タグ識別子１−ｉ’とアンテナ識別子２−ｊ’とを含む検索結果を在庫管理サーバ４に送信する（ステップＳ４）。
在庫管理サーバ４の通信装置４２は、リーダライタ２−ｊからの検索結果を受信し、その検索部４７は、検索結果に含まれるタグ識別子１−ｉ’とアンテナ識別子２−ｊ’とを在庫物品データベース５０に格納する（ステップＳ５；在庫物品格納処理）。
【００５４】
例えば、タグ識別子１−ｉ’がタグ識別子１−２’であり、アンテナ識別子２−ｊ’がアンテナ識別子２−９’である場合、タグ識別子１−２’が設けられた物品は、リーダライタ２−９が設置された流し台１０４の右側の収納部（扉収納部１７０）に収納されている。この場合、ステップＳ５（在庫物品格納処理）にて、タグ識別子１−２’とアンテナ識別子２−９’とが在庫物品データベース５０に格納される。タグ識別子１−２’は、そのＩＤと、物品情報として調理用品の名称“鍋（中）”、画像とを含む（図１２参照）。
例えば、タグ識別子１−ｉ’がタグ識別子１−２３’であり、アンテナ識別子２−ｊ’がアンテナ識別子２−４’である場合、タグ識別子１−２３’が設けられた物品は、リーダライタ２−４が設置された保管棚１０２に収納されている。この場合、ステップＳ５（在庫物品格納処理）にて、タグ識別子１−２３’とアンテナ識別子２−４’とが在庫物品データベース５０に格納される。タグ識別子１−２３’は、そのＩＤと、物品情報として、食材の名称“カレールー”、画像、消耗品情報（数量）とを含む（図１２参照）。
例えば、タグ識別子１−ｉ’がタグ識別子１−３’であり、アンテナ識別子２−ｊ’がアンテナ識別子２−９’である場合、タグ識別子１−３’が設けられた物品は、リーダライタ２−９が設置された流し台１０４の右側の収納部（扉収納部１７０）に収納されている。この場合、ステップＳ５（在庫物品格納処理）にて、タグ識別子１−３’とアンテナ識別子２−９’とが在庫物品データベース５０に格納される。タグ識別子１−３’は、そのＩＤと、物品情報として調理用品の名称“鍋（小）”、画像とを含む（図１２参照）。
【００５５】
図２０は、本発明の第１実施形態に係る物品検出システムの動作として検索要求処理を示すフローチャートである。
利用者は、調理用品“鍋（中）”を用いて調理をしようと考えたとき、調理用品“鍋（中）”が収納された収納場所を覚えていない場合がある。この場合、利用者は、調理用品“鍋（中）”を検索物品として検索することができる。利用者は、情報処理端末３の入力装置３２を用いて、検索物品｛調理用品“鍋（中）”｝における物品検索要求を行なう。物品検索要求は、検索物品｛調理用品“鍋（中）”｝の物品情報として例えば名称を含んでいる。このとき、情報処理端末３の制御部３８は、物品検索要求を受け付けて、その通信装置３４を介して在庫管理サーバ４に送信する（ステップＳ１１）。
【００５６】
在庫管理サーバ４の通信装置４２は、物品検索要求を受け付ける。このとき、在庫管理サーバ４の制御部４６は、メニューデータベース７０と在庫物品データベース５０とを参照して、物品検索要求に含まれる検索物品｛調理用品“鍋（中）”｝が収納場所に収納されているか否かを調べる。
まず、制御部４６は、在庫物品データベース５０を参照して、検索物品｛調理用品“鍋（中）”｝の物品情報に含まれる名称に一致する名称を含むタグ識別子１−２’と、タグ識別子１−２’に対応するアンテナ識別子２−９’とを読み出す。
次に、制御部４６は、位置情報データベース６０を参照して、アンテナ識別子２−９’に対応する位置情報６１−９を読み出す。位置情報６１−９は、検索物品｛調理用品“鍋（中）”｝が収納された収納場所（流し台１０４の右側の収納部）を表す。
次に、制御部４６は、物品検索結果を生成し、その通信装置４２を介して情報処理端末３に送信する（ステップＳ１２）。
物品検索結果は、検索物品｛調理用品“鍋（中）”｝の物品情報として検索物品の名称、画像、数量と、検索位置情報として位置情報６１−９（流し台１０４の右側の収納部）とを含んでいる。検索物品として食材においては、包装されているため、検索物品の数量として消耗品情報が表す数量が用いられる。検索物品として調理用品においては、同じ名称がＮ個存在する場合、検索物品の数量は“Ｎ”である。
情報処理端末３の通信装置３４は、物品検索結果を受信し、その制御部３８は、物品検索結果を表示装置３３に表示する。
【００５７】
本発明の第１実施形態に係る物品検出システムによれば、利用者が入力装置３２を用いて物品検索要求をしたとき、在庫管理サーバ４は、上記の物品検索結果を表示装置３３に表示する。このため、利用者は、物品検索結果によって、台所１００のどの収納場所に検索物品｛調理用品“鍋（中）”｝が収納されているかを把握することができる。また、利用者は、物品検索結果によって、検索物品｛調理用品“鍋（中）”｝の物品情報（名称、画像、数量）を把握することができる。特に、利用者が前述の夫や子供である場合でも台所１００を利用することができる。このように、本発明の第１実施形態に係る物品検出システムによれば、利用者にとって台所１００が利用しやすくなる。
【００５８】
在庫管理サーバ４が、リーダライタ２−ｊに検索要求を定期的に送信して、在庫物品データベース５０により物品（食材、調理用品）の収納場所を管理している場合、在庫管理サーバ４が検索要求をリーダライタ２−ｊに送信してから、次の検索要求をリーダライタ２−ｊに送信するまでに、利用者が物品（食材、調理用品）を移動してしまう可能性がある。この場合、在庫物品データベース５０により最新の収納場所を管理することが困難である。そこで、本発明の第１実施形態に係る物品検出システムによれば、利用者が戸を開閉したとき、検出部５の戸検出部（引出検出部６、収納扉検出部７、ドア検出部８）は、戸の開閉を検出して、検出信号を在庫管理サーバ４に送信する。在庫管理サーバ４は、検出信号を受け付けたときに、検出信号をトリガとして、リーダライタ２−ｊに検索要求を送信して、リーダライタ２−ｊからの検索結果を受信することによって、最新の収納場所を在庫物品データベース５０により管理することができる。
【００５９】
在庫管理サーバ４が、リーダライタ２−ｊに検索要求を定期的に送信して、リーダライタ２−ｊからの検索結果を受信する場合、システム全体の消費電力が大きくなってしまう。そこで、本発明の第１実施形態に係る物品検出システムによれば、利用者が戸を開閉したとき、在庫管理サーバ４は、リーダライタ２−ｊに検索要求を送信することにより、リーダライタ２−ｊに検索要求を定期的に送信する方式よりもシステム全体の消費電力を低減することができる。
【００６０】
（第２実施形態）
図２１は、本発明の第２実施形態に係る物品検出システムの構成を示すブロック図である。第２実施形態では、上述の第１実施形態の変更点のみ説明する。
検出部５は、戸検出部である引出検出部６、収納扉検出部７と、
進入検出部である赤外線検出部９の少なくとも１つを具備している。進入検出部は、第１区域（廊下２００）から第２区域（台所１００）に進入する利用者を検出して、検出信号を在庫管理サーバ４に送信する。
【００６１】
図２２は、本発明の第２実施形態に係る物品検出システムの適用例として、台所１００の間取りを示す概念図である。赤外線検出部９は、第１区域（廊下２００）と第２区域（台所１００）との間の第３区域３００に設けられている。赤外線検出部９は、台所１００の壁に向けて赤外線を放出し、反射された赤外線を受け付ける。赤外線検出部９は、赤外線を放出してから、反射された赤外線を受け付けるまでの時間を計測し、計測された時間が設定時間よりも短い場合、利用者を検知する。
第２実施形態では、台所１００にドア１０７が設置されていても、設置されていなくてもよい。また、在庫管理サーバ４の通信装置４２は、ネットワークを介してリーダライタ２−１〜２−ｎと、情報処理端末３の通信装置３４と、引出検出部６の引出検出制御部６−２、収納扉検出部７の扉検出制御部７−２と、赤外線検出部９とに接続されている。
【００６２】
次に、本発明の第２実施形態に係る物品検出システムの動作について説明する。本発明の第２実施形態に係る物品検出システムは、その動作として、上述の戸検出処理、進入検出処理、上述の検索制御処理、上述の検索要求処理を実行する。ここで、進入検出処理、上述の検索制御処理について説明する。
【００６３】
図２３は、本発明の第２実施形態に係る物品検出システムの動作として、赤外線検出部９が実行する進入検出処理を示すフローチャートである。
利用者は、台所１００に行くために、第１区域（廊下２００）から第３区域３００を通って第２区域（台所１００）に進入する。このとき、赤外線検出部９は、赤外線を用いて第３区域３００に存在する利用者を検出する（ステップＳ９１−ＹＥＳ）。
赤外線検出部９は、ステップＳ９１にて第１区域（廊下２００）から第２区域（台所１００）に進入する利用者を検出したとき、検出信号として第４検出信号を在庫管理サーバ４に送信する（ステップＳ９２）。
【００６４】
検索制御処理のステップＳ１において、在庫管理サーバ４の通信装置４２は、第１検出信号、第２検出信号、第４検出信号のいずれかの検出信号を受信する。このとき、在庫管理サーバ４の検索部４７は、検出信号に応じて、その通信装置４２を介して、検索要求を送信する。
【００６５】
本発明の第２実施形態に係る物品検出システムによれば、利用者が第１区域（廊下２００）から第２区域（台所１００）に進入したとき、検出部５の進入検出部（赤外線検出部９）は、第１区域（廊下２００）から第２区域（台所１００）に進入する利用者を検出して、検出信号を在庫管理サーバ４に送信する。在庫管理サーバ４は、検出信号を受け付けたときに、検出信号をトリガとして、リーダライタ２−ｊに検索要求を送信して、リーダライタ２−ｊからの検索結果を受信することによって、最新の収納場所を在庫物品データベース５０により管理することができる。
本発明の第２実施形態に係る物品検出システムによれば、利用者が第１区域（廊下２００）から第２区域（台所１００）に進入したとき、在庫管理サーバ４は、リーダライタ２−ｊに検索要求を送信することにより、リーダライタ２−ｊに検索要求を定期的に送信する方式よりもシステム全体の消費電力を低減することができる。
【００６６】
また、台所１００にはドア１０７が設置されていない場合も考えられる。この場合でも、利用者は、台所１００に行くとき、第１区域（廊下２００）から第２区域（台所１００）に進入するため、第１区域（廊下２００）から第２区域（台所１００）に進入する利用者を上記の赤外線検出部９が検出することが好ましい。
【００６７】
（第３実施形態）
図２４は、本発明の第３実施形態に係る物品検出システムの構成を示すブロック図である。第３実施形態では、上述の第１実施形態、第２実施形態の変更点のみ説明する。
検出部５は、戸検出部である引出検出部６、収納扉検出部７と、
進入検出部である重量検出部１０の少なくとも１つを具備している。
【００６８】
図２５は、本発明の第３実施形態に係る物品検出システムの適用例として、台所１００の間取りを示す概念図である。重量検出部１０は、第１区域（廊下２００）と第２区域（台所１００）との間の第３区域３００の床に設けられている。重量検出部１０は、第３区域３００に存在する利用者の重量を検知する。
第３実施形態では、台所１００にドア１０７が設置されていても、設置されていなくてもよい。また、在庫管理サーバ４の通信装置４２は、ネットワークを介してリーダライタ２−１〜２−ｎと、情報処理端末３の通信装置３４と、引出検出部６の引出検出制御部６−２、収納扉検出部７の扉検出制御部７−２と、重量検出部１０とに接続されている。
【００６９】
次に、本発明の第３実施形態に係る物品検出システムの動作について説明する。本発明の第３実施形態に係る物品検出システムは、その動作として、上述の戸検出処理、進入検出処理、上述の検索制御処理、上述の検索要求処理を実行する。ここで、進入検出処理、上述の検索制御処理について説明する。
【００７０】
図２６は、本発明の第３実施形態に係る物品検出システムの動作として、重量検出部１０が実行する進入検出処理を示すフローチャートである。
利用者は、台所１００に行くために、第１区域（廊下２００）から第３区域３００を通って第２区域（台所１００）に進入する。このとき、重量検出部１０は、第３区域３００に存在する利用者の重量を検出する（ステップＳ１０１−ＹＥＳ）。
重量検出部１０は、ステップＳ１０１にて第１区域（廊下２００）から第２区域（台所１００）に進入する利用者を検出したとき、検出信号として第５検出信号を在庫管理サーバ４に送信する（ステップＳ１０２）。
【００７１】
検索制御処理のステップＳ１において、在庫管理サーバ４の通信装置４２は、第１検出信号、第２検出信号、第５検出信号のいずれかの検出信号を受信する。このとき、在庫管理サーバ４の検索部４７は、検出信号に応じて、その通信装置４２を介して、検索要求を送信する。
【００７２】
本発明の第３実施形態に係る物品検出システムによれば、利用者が第１区域（廊下２００）から第２区域（台所１００）に進入したとき、検出部５の進入検出部（重量検出部１０）は、第１区域（廊下２００）から第２区域（台所１００）に進入する利用者を検出して、検出信号を在庫管理サーバ４に送信する。在庫管理サーバ４は、検出信号を受け付けたときに、検出信号をトリガとして、リーダライタ２−ｊに検索要求を送信して、リーダライタ２−ｊからの検索結果を受信することによって、最新の収納場所を在庫物品データベース５０により管理することができる。
本発明の第３実施形態に係る物品検出システムによれば、利用者が第１区域（廊下２００）から第２区域（台所１００）に進入したとき、在庫管理サーバ４は、リーダライタ２−ｊに検索要求を送信することにより、リーダライタ２−ｊに検索要求を定期的に送信する方式よりもシステム全体の消費電力を低減することができる。
【００７３】
また、台所１００にはドア１０７が設置されていない場合も考えられる。この場合でも、利用者は、台所１００に行くとき、第１区域（廊下２００）から第２区域（台所１００）に進入するため、第１区域（廊下２００）から第２区域（台所１００）に進入する利用者を上記の重量検出部１０が検出することが好ましい。
【００７４】
以上の説明により、本発明の物品検出システムは、利用者が物品（食材、調理用品）の収納場所、物品情報を把握することができ、最新の収納場所を管理する。このため、本発明の物品検出システムは、利用者にとって台所１００を利用しやすくなる。
また、本発明の物品検出システムは、検出部５（引出検出部６、収納扉検出部７、ドア検出部８、赤外線検出部９、重量検出部１０）からの検出信号（トリガ）により、在庫管理サーバ４は、リーダライタ２−ｊに検索要求を送信することにより、リーダライタ２−ｊに検索要求を定期的に送信する方式よりもシステム全体の消費電力を低減することができる。
【図面の簡単な説明】
【００７５】
【図１】図１は、本発明の第１実施形態に係る物品検出システムの構成を示すブロック図である。
【図２】図２は、本発明の第１実施形態に係る物品検出システムの適用例として、台所１００の間取りを示す概念図である。
【図３】図３は、本発明の第１実施形態に係る物品検出システムの適用例として、引出又は扉を外したときの食器棚１０１の正面図を示す。
【図４】図４は、本発明の第１実施形態に係る物品検出システムの適用例として、引出又は扉を外したときの冷蔵庫１０３の正面図を示す。
【図５】図５は、本発明の第１実施形態に係る物品検出システムの適用例として、引出又は扉を外したときの流し台１０４の正面図を示す。
【図６Ａ】図６Ａは、本発明の第１実施形態に係る物品検出システムの適用例として、検出部５である引出検出部６が設置される収納場所を示す。
【図６Ｂ】図６Ｂは、本発明の第１実施形態に係る物品検出システムの適用例として、検出部５である引出検出部６が設置される収納場所を示す。
【図７Ａ】図７Ａは、本発明の第１実施形態に係る物品検出システムの適用例として、検出部５である収納扉検出部７が設置される収納場所を示す。
【図７Ｂ】図７Ｂは、本発明の第１実施形態に係る物品検出システムの適用例として、検出部５である収納扉検出部７が設置される収納場所を示す。
【図８Ａ】図８Ａは、本発明の第１実施形態に係る物品検出システムの適用例として、検出部５であるドア検出部８が設置される場所を示す。
【図８Ｂ】図８Ｂは、本発明の第１実施形態に係る物品検出システムの適用例として、検出部５であるドア検出部８が設置される場所を示す。
【図９】図９は、本発明の第１実施形態に係る物品検出システムのＩＤタグ１−ｉの構成を示すブロック図である。
【図１０】図１０は、本発明の第１実施形態に係る物品検出システムにおけるタグ識別子１−ｉ’を示す。
【図１１】図１１は、本発明の第１実施形態に係る物品検出システムのリーダライタ２−ｊの構成を示すブロック図である。
【図１２】図１２は、本発明の第１実施形態に係る物品検出システムの情報処理端末３の構成を示すブロック図である。
【図１３】図１３は、本発明の第１実施形態に係る物品検出システムの在庫管理サーバ４の構成を示すブロック図である。
【図１４】図１４は、本発明の第１実施形態に係る物品検出システムの在庫管理サーバ４の在庫物品データベース５０を示す。
【図１５】図１５は、本発明の第１実施形態に係る物品検出システムの在庫管理サーバ４の位置情報データベース６０を示す。
【図１６】図１６は、本発明の第１実施形態に係る物品検出システムの動作として、引出検出部６が実行する戸検出処理を示すフローチャートである。
【図１７】図１７は、本発明の第１実施形態に係る物品検出システムの動作として、収納扉検出部７が実行する戸検出処理を示すフローチャートである。
【図１８】図１８は、本発明の第１実施形態に係る物品検出システムの動作として、ドア検出部８が実行する戸検出処理を示すフローチャートである。
【図１９】図１９は、本発明の第１実施形態に係る物品検出システムの動作として検索制御処理を示すフローチャートである。
【図２０】図２０は、本発明の第１実施形態に係る物品検出システムの動作として検索要求処理を示すフローチャートである。
【図２１】図２１は、本発明の第２実施形態に係る物品検出システムの構成を示すブロック図である。
【図２２】図２２は、本発明の第２実施形態に係る物品検出システムの適用例として、台所１００の間取りを示す概念図である。
【図２３】図２３は、本発明の第２実施形態に係る物品検出システムの動作として、赤外線検出部９が実行する進入検出処理を示すフローチャートである。
【図２４】図２４は、本発明の第３実施形態に係る物品検出システムの構成を示すブロック図である。
【図２５】図２５は、本発明の第３実施形態に係る物品検出システムの適用例として、台所１００の間取りを示す概念図である。
【図２６】図２６は、本発明の第３実施形態に係る物品検出システムの動作として、重量検出部１０が実行する進入検出処理を示すフローチャートである。
【符号の説明】
【００７６】
１−１〜１−ｍ    ＩＤタグ
１−ｉ’（ｉ＝１、２、…、ｍ）    タグ識別子
１１    アンテナ
１２    ＩＣチップ
１３    送信部
１４    受信部
１５    記憶部
１６    整流部
２−１〜２−ｎ    リーダライタ
２−ｊ’（ｊ＝１、２、…、ｎ）    アンテナ識別子
２１    アンテナ
２２    コントローラー
２３    送信部
２４    受信部
２５    記憶部
２６    制御部
３    情報処理端末
３１    制御装置
３２    入力装置
３３    表示装置
３４    通信装置
３５    ＣＰＵ
３６    記憶部
３７    コンピュータプログラム
３８    制御部
４    物品管理サーバ
４１    制御装置
４２    通信装置
４３    ＣＰＵ
４４    記憶部
４５    コンピュータプログラム
４６    制御部
４７    検索部
４８    データベース
５０    在庫物品データベース
６０    位置情報データベース
６１−１〜６１−１１    位置情報（収納場所）
６２    地図データ
５    検出部
６    引出検出部
６−１    引出検出支援部
６−２    引出検出制御部
１６０    引出収納部
１６１    引出用収納部
１６１−１    底面部
１６１−２    上面部
１６２    引出部
１６２−１    下面部
１６２−２    収納用上部
１６３    引出用支持部
１６４    引出用突起部
７    収納扉検出部
７−１    扉検出支援部
７−２    扉検出制御部
１７０    扉収納部
１７１    扉部
１７１−１    表面部
１７１−２    背面部
１７２    扉用収納部
１７２−１    表面部
８    ドア検出部
８−１    ドア検出支援部
８−２    ドア検出制御部
１８０    壁
１８０−１    表面部
１８０−２    背面部
９    赤外線検出部
１０    重量検出部
１００    台所（第２区域）
１０１    食器棚
１０２    保管棚
１０３    冷蔵庫
１０４    流し台
１０５    コンロ
１０６    テーブル
１０７    ドア
１０７−１    表面部
１０７−２    背面部
２００    廊下（第１区域）
３００    第３区域
【図１】
2008310821.tif 000003
【図２】
2008310821.tif 000004
【図３】
2008310821.tif 000005
【図４】
2008310821.tif 000006
【図５】
2008310821.tif 000007
【図６Ａ】
2008310821.tif 000008
【図６Ｂ】
2008310821.tif 000009
【図７Ａ】
2008310821.tif 000010
【図７Ｂ】
2008310821.tif 000011
【図８Ａ】
2008310821.tif 000012
【図８Ｂ】
2008310821.tif 000013
【図９】
2008310821.tif 000014
【図１０】
2008310821.tif 000015
【図１１】
2008310821.tif 000016
【図１２】
2008310821.tif 000017
【図１３】
2008310821.tif 000018
【図１４】
2008310821.tif 000019
【図１５】
2008310821.tif 000020
【図１６】
2008310821.tif 000021
【図１７】
2008310821.tif 000022
【図１８】
2008310821.tif 000023
【図１９】
2008310821.tif 000024
【図２０】
2008310821.tif 000025
【図２１】
2008310821.tif 000026
【図２２】
2008310821.tif 000027
【図２３】
2008310821.tif 000028
【図２４】
2008310821.tif 000029
【図２５】
2008310821.tif 000030
【図２６】
2008310821.tif 000031